(57)【要約】【課題】本発明は、極めて商品価値の高い画期的な雄ネジを提供することを目的とする。【解決手段】雌ネジ20に螺合される雄ネジ１であって、この雄ネジ１の軸心長さ方向には有底の小雌ネジ２が設けられ、この小雌ネジ２には子雄ネジ10が螺合され、前記雄ネジ１には軸心方向と直交し且つ前記小雌ネジ２まで達する深さにして所定周長のスリット３が設けられ、前記小雌ネジ２と前記子雄ネジ10とは、前記小雌ネジ２の底から前記スリット３までが非螺合部に構成されたものである。【選択図】図１
2015163804.tif 000002
【特許請求の範囲】
【請求項１】
雌ネジに螺合される雄ネジであって、この雄ネジの軸心長さ方向には有底の小雌ネジが設けられ、この小雌ネジには子雄ネジが螺合され、前記雄ネジには軸心方向と直交し且つ前記小雌ネジまで達する深さにして所定周長のスリットが設けられ、前記小雌ネジと前記子雄ネジとは、前記小雌ネジの底から前記スリットまでが非螺合部に構成されていることを特徴とする雄ネジ。
【請求項２】
請求項１記載の雄ネジにおいて、前記スリットは複数並設されており、前記小雌ネジの底から最も遠い位置にある前記スリットまでが前記非螺合部に構成されていることを特徴とする雄ネジ。
【請求項３】
請求項２記載の雄ネジにおいて、前記各スリットは異なる位相で設けられていることを特徴とする雄ネジ。
【請求項４】
請求項１〜３いずれか１項に記載の雄ネジにおいて、前記雄ネジの軸心と前記子雄ネジの軸心とは合致していることを特徴とする雄ネジ。
【発明の詳細な説明】
【技術分野】
【０００１】
本発明は、例えばボルトやビスなどの雄ネジに関するものである。
【背景技術】
【０００２】
従来から、雌ネジに螺合される弛み止め機能を具備した雄ネジとして、例えば特開平６−４２５２２号に開示されるような雄ネジ（以下、従来例）が種々提案されている。
【０００３】
この従来例は、先端から軸心方向に所定長さのスリットを形成するとともに、その径を雌ネジの径よりも僅かに大きく設定したものであり、スリットがあるため雌ネジへ螺合すると縮径し、螺合完了後は復元力によって拡径作用が生じ雌ネジに圧接することで弛み止め機能が発揮される。更に、従来例は、スリット内に弾性部材を嵌め込むことで、この弾性部材の弾性付勢によっても拡径作用を生じさせるものである。
【先行技術文献】
【特許文献】
【０００４】
【特許文献１】特開平６−４２５２２号公報
【発明の概要】
【発明が解決しようとする課題】
【０００５】
本発明者は、前述した弛み止め機能を具備する雄ネジについて更なる研究・開発を進めた結果、極めて商品価値の高い画期的な雄ネジを開発した。
【課題を解決するための手段】
【０００６】
添付図面を参照して本発明の要旨を説明する。
【０００７】
雌ネジ20に螺合される雄ネジ１であって、この雄ネジ１の軸心長さ方向には有底の小雌ネジ２が設けられ、この小雌ネジ２には子雄ネジ10が螺合され、前記雄ネジ１には軸心方向と直交し且つ前記小雌ネジ２まで達する深さにして所定周長のスリット３が設けられ、前記小雌ネジ２と前記子雄ネジ10とは、前記小雌ネジ２の底から前記スリット３までが非螺合部に構成されていることを特徴とする雄ネジに係るものである。
【０００８】
また、請求項１記載の雄ネジにおいて、前記スリット３は複数並設されており、前記小雌ネジ２の底から最も遠い位置にある前記スリット３までが前記非螺合部に構成されていることを特徴とする雄ネジに係るものである。
【０００９】
また、請求項２記載の雄ネジにおいて、前記各スリット３は異なる位相で設けられていることを特徴とする雄ネジに係るものである。
【００１０】
また、請求項１〜３いずれか１項に記載の雄ネジにおいて、前記雄ネジ１の軸心と前記子雄ネジ10の軸心とは合致していることを特徴とする雄ネジに係るものである。
【発明の効果】
【００１１】
本発明は上述のように構成したから、従来にない秀れた弛み止め機能を発揮することになるなど、極めて商品価値の高い画期的な雄ネジとなる。
【図面の簡単な説明】
【００１２】
【図１】本実施例を示す分解斜視図である。
【図２】本実施例を示す説明断面図である。
【図３】本実施例の要部の動作説明断面図である。
【図４】本実施例の使用状態説明図である。
【図５】本実施例の使用状態説明図である。
【発明を実施するための形態】
【００１３】
好適と考える本発明の実施形態を、図面に基づいて本発明の作用を示して簡単に説明する。
【００１４】
本発明に係る雄ネジ１の小雌ネジ２に子雄ネジ10を螺合すると、スリット３よりも基端側部位（小雌ネジ２と子雄ネジ10との螺合部）が先端側部位（小雌ネジ２と子雄ネジ10との非螺合部）に対し離反する。
【００１５】
従って、雄ネジ１を雌ネジ20に螺合した状態で、小雌ネジ２に子雄ネジ10を螺合すると、スリット３よりも基端側部位（小雌ネジ２と子雄ネジ10との螺合部）が前記離反方向に移動し、該部位が雌ネジ20に圧接するから、雌ネジ20に対する雄ネジ１の弛み止め機能が発揮され、更に、スリット３よりも基端側部位（小雌ネジ２と子雄ネジ10との螺合部）は、バネ性による戻り付勢も発揮し、子雄ネジ10に圧接するから、雄ネジ１に対する子雄ネジ10の弛み止め機能も発揮される。
【００１６】
以上のように、本発明は、雌ネジ20に対する雄ネジ１の弛み止め機能、雄ネジ１に対する子雄ネジ10の弛み止め機能が発揮され、より確実に雌ネジ20に螺合された雄ネジ１の弛み止め機能が発揮されることになる。
【実施例】
【００１７】
本発明の具体的な実施例について図面に基づいて説明する。
【００１８】
本実施例は、適宜な部材21に形成された雌ネジ20（ネジ孔）に螺合される雄ネジ１であって、この雄ネジ１の軸心長さ方向には有底の小雌ネジ２（ネジ孔）が設けられ、この小雌ネジ２には子雄ネジ10が螺合されている。符号20ａはネジ溝である。
【００１９】
尚、本実施例は、義足の連結構造に用いるネジ（所謂止めネジ）であるが、これに限られないのは勿論である。
【００２０】
以下、本実施例に係る構成各部について説明する。
【００２１】
雄ネジ１は、図１，２に図示したように適宜な金属製の部材（スプリング鋼：ＳＵＰ材）で形成した棒状体であり、雌ネジ20のネジ孔21に螺合される径に設定され、外面には外ネジ溝１ａが形成されている。尚、雄ネジ１及び後述する子雄ネジ10は合成樹脂製でも良い。
【００２２】
また、雄ネジ１の軸心と後述する子雄ネジ10の軸心とは合致するように構成されている。
【００２３】
また、雄ネジ１には、該雄ネジ１の軸心長さ方向に有底穴が設けられ、この有底穴の内面には内ネジ溝２ａが形成されて小雌ネジ２として構成されている。
【００２４】
具体的には、この小雌ネジ２は、雄ネジ１の一端に開口する径大孔部２Ａと、この径大孔部２Ａの先端側に連設する径小孔部２Ｂとで構成されており、この径大孔部２Ａにのみ内ネジ溝２ａが形成され径小孔部２Ｂには内ネジ溝２ａは形成されておらず、この小雌ネジ２と後述する子雄ネジ10とは、小雌ネジ２の底から後述するスリット３までが非螺合部に構成されている。
【００２５】
また、小雌ネジ２の底は、螺合した子雄ネジ10の先端部10ｂが当接する当接面２ｂとなる。
【００２６】
また、雄ネジ１の所定位置にはスリット３が設けられている。
【００２７】
このスリット３は、図１，２に図示したように雄ネジ１の軸心方向と直交し且つ小雌ネジ２まで達する深さの所定周長のスリット３であり、本実施例では、スリット３は雄ネジ１の長さ方向に複数（２本）並設されており、この各スリット３は異なる位相（１８０度ずれた位相）で設けられている。
【００２８】
尚、スリット３の数は１本でも３本以上でも良く、また、複数本の場合、各スリット３の位相の異なりは１８０度に限らず例えば９０度でも良く、雄ネジ１の軸心方向に並設される各スリット３を螺旋状に所定の角度ずつ位相が異なるような構成としても良い。
【００２９】
また、本実施例では、小雌ネジ２の底から最も遠い位置にあるスリット３までが非螺合部に構成されている。
【００３０】
符号１ｂはネジ部材１を回転させるための回転用工具を嵌合連結する凹部である。
【００３１】
子雄ネジ10は、図１，２に図示したように適宜な金属製の部材で形成した棒状体であり、径大部とこの径大部の先端側に連設する径小部とで構成されている。
【００３２】
具体的には、この径大部の外面にはネジ溝10ａが形成され径小部にはネジ溝10ａは形成されておらず、雄ネジ１の小雌ネジ２（径大孔部２Ａ）に螺合し得るように構成されている。
【００３３】
また、径大部の端部には角レンチを嵌合する角穴10ｃが開口形成されており、角レンチを用いて雄ネジ１に対して子雄ネジ10を螺動させることができる。
【００３４】
本実施例は上述のように構成したから、雄ネジ１の小雌ネジ２に子雄ネジ10を螺合すると、スリット３よりも基端側部位（小雌ネジ２と子雄ネジ10との螺合部）が先端側部位（小雌ネジ２と子雄ネジ10との非螺合部）に対し図３中矢印ａ方向へ離反する。
【００３５】
従って、雄ネジ１を雌ネジ20に螺合した状態で、小雌ネジ２に子雄ネジ10を螺合すると、スリット３よりも基端側部位（小雌ネジ２と子雄ネジ10との螺合部）が前記離反方向に移動し、該部位が雌ネジ20に圧接するから、雌ネジ20に対する雄ネジ１の弛み止め機能が発揮され、更に、スリット３よりも基端側部位（小雌ネジ２と子雄ネジ10との螺合部）は、バネ性による図３中矢印ｂ方向への戻り付勢も発揮し、子雄ネジ10に圧接するから、雄ネジ１に対する子雄ネジ10の弛み止め機能も発揮される。
【００３６】
以上のように、本発明は、雌ネジ20に対する雄ネジ１の弛み止め機能、雄ネジ１に対する子雄ネジ10の弛み止め機能が発揮され、より確実に雌ネジ20に螺合された雄ネジ１の弛み止め機能が発揮されることになる。
【００３７】
よって、本実施例によれば、本実施例は、雌ネジ20に螺合された雄ネジ１に子雄ネジ10を螺合することで、雌ネジ20に対する雄ネジ１の弛み止め機能が発揮され、且つ、雄ネジ１に対する子雄ネジ10の弛み止め機能も発揮されるため、より確実に雌ネジ20に螺合された雄ネジ１の弛み止め機能が発揮されることになる。
【００３８】
また、本実施例は、スリット３は雄ネジ１の軸心長さ方向に複数並設されており、各スリット３は異なる位相で設けられているから、雄ネジ１におけるスリット３よりも基端側部位（小雌ネジ２と子雄ネジ10との螺合部）は確実に離反方向（図３中矢印ａ方向）へ移動することになる。
【００３９】
尚、本発明は、本実施例に限られるものではなく、各構成要件の具体的構成は適宜設計し得るものである。
【符号の説明】
【００４０】
１  雄ネジ
２  小雌ネジ
３  スリット
10  子雄ネジ
20  雌ネジ
【図１】
2015163804.tif 000003
【図２】
2015163804.tif 000004
【図３】
2015163804.tif 000005
【図４】
2015163804.tif 000006
【図５】
2015163804.tif 000007